(57)【特許請求の範囲】
【請求項１】
光を発生する発光装置と、
前記発光装置の上方に配置され、この発光装置の表面積よりも大きく、かつ上面における前記発光装置に対応する位置に多数のドットまたはストライプの印刷が施され、この印刷によって前記発光装置からの光を前記発光装置に対応する位置よりも外側内部に拡散させる透明板とを備え、
前記透明板に印刷された多数のドットまたはストライプなどの印刷領域は、前記発光装置に対応する位置にのみ存在することを特徴とする照明装置。
【請求項２】
光を発生する発光装置と、
前記発光装置の上方に配置され、前記発光装置に対応する位置の上面または下面に前記発光装置からの光を反射する多数のドットまたはストライプの印刷が施された透明板と、
前記発光装置と前記透明板との間に配設され、前記発光装置の表面積よりも大きく、かつ前記透明板の多数のドットまたはストライプの印刷によって反射した前記発光装置からの光を前記発光装置に対応する位置よりも外側内部に拡散させる拡散板とを備え、
前記透明板に印刷された多数のドットまたはストライプなどの印刷領域は、前記発光装置に対応する位置にのみ存在することを特徴とする照明装置。
【請求項３】
前記透明板の上面または下面の少なくとも一方に、前記発光装置から発生された光を反射し拡散するための凹凸が形成されていることを特徴とする請求項１または２記載の照明装置。
【請求項４】
前記拡散板には少なくとも前記発光装置に対応する位置に傾斜部が形成されていることを特徴とする請求項２または３記載の照明装置。
【請求項５】
前記拡散板の上面または下面の少なくとも一方に、前記発光装置から発生された光を反射し拡散するための凹凸が形成されていることを特徴とする請求項２〜４のいずれかに記載の照明装置。
【請求項６】
前記発光装置はエレクトロルミネッセンスであることを特徴とする請求項１〜５のいずれかに記載の照明装置。
【請求項７】
先端に指針が取り付けられる指針軸を有するアナログ時計部と、
前記アナログ時計部の指針軸側に設けられ、前記指針軸が挿入される貫通孔が形成された光を発生する発光装置と、
前記発光装置の上方に配置され、この発光装置の表面積よりも大きく、前記アナログ時計部の指針軸が挿入される貫通孔が形成され、かつ上面における前記発光装置に対応する位置に多数のドットまたはストライプの印刷が施され、この印刷によって前記発光装置からの光を前記発光装置に対応する位置よりも外側内部に拡散させる透明板とを備え、
前記透明板に印刷された多数のドットまたはストライプなどの印刷領域は、前記発光装置に対応する位置にのみ存在することを特徴とする照明装置を備えた時計。
【請求項８】
先端に指針が取り付けられる指針軸を有するアナログ時計部と、
前記アナログ時計部の指針軸側に設けられ、前記指針軸が挿入される貫通孔が形成された光を発生する発光装置と、
前記発光装置の上方に配置され、前記指針軸が挿入される貫通孔が形成され、前記発光装置に対応する位置の上面または下面に前記発光装置からの光を反射する多数のドットまたはストライプの印刷が施された透明板と、
前記発光装置と前記透明板との間に配設され、前記発光装置の表面積よりも大きく、前記アナログ時計部の指針軸が挿入される貫通孔が形成され、かつ前記透明板の多数のドットまたはストライプの印刷によって反射した前記発光装置からの光を前記発光装置に対応する位置よりも外側内部に拡散させる拡散板とを備え、
前記透明板に印刷された多数のドットまたはストライプなどの印刷領域は、前記発光装置に対応する位置にのみ存在することを特徴とする照明装置を備えた時計。
【請求項９】
前記透明板の上面または下面の少なくとも一方に、前記発光装置から発生された光を反射し拡散するための凹凸が形成されていることを特徴とする請求項７また８記載の照明装置を備えた時計。
【請求項１０】
前記時計部の指針軸が挿入する前記拡散板の貫通孔には、傾斜部が形成されていることを特徴とする請求項８または９に記載の照明装置を備えた時計。
【請求項１１】
前記拡散板の上面または下面の少なくとも一方に、前記発光装置から発生された光を反射し拡散するための凹凸が形成されていることを特徴とする請求項８〜１０のいずれかに記載の照明装置を備えた時計。
【請求項１２】
前記発光装置はエレクトロルミネッセンスであることを特徴とする請求項７〜１１のいずれかに記載の照明装置を備えた時計。
【発明の詳細な説明】
【０００１】
【産業上の利用分野】
この発明は、照明装置およびそれを備えた時計に関する。
【０００２】
【従来の技術】
従来、クロックなどの時計には、暗い所でも時刻を読み取ることができるように、照明装置により文字板全体を照明するようにしたものがある。このような時計の照明装置としては、透明な表面電極と背面電極との間に発光層を介在させて両電極間に電圧を印加させることにより発光層が発光するＥＬ素子（エレクトロルミネッセンス素子）を用いたものが多い。この照明装置では、ＥＬ素子で文字板全体を照明するために、文字板とほぼ同じ大きさのＥＬ素子を用いると、コストが高くなるため、通常は文字板の中心付近にＥＬ素子を配設している。
【０００３】
【発明が解決しようとする課題】
しかしながら、このような照明装置では、文字板の中心付近のみにＥＬ素子を配設してるため、文字板の中心付近に光が集中することになり、文字板の中心付近のみしか照明することができず、文字板全体が明るくならないため、時刻を読み取りにくいという問題がある。
この発明の目的は、発光装置で発光した光を発光装置の周辺に拡散させて発光装置の外部周辺をも明るくすることのできる照明装置およびそれを備えた時計を提供することである。
【０００４】
【課題を解決するための手段】
請求項１記載の発明は、光を発生する発光装置と、前記発光装置の上方に配置され、この発光装置の表面積よりも大きく、かつ上面における前記発光装置に対応する位置に多数のドットまたはストライプの印刷が施され、この印刷によって前記発光装置からの光を前記発光装置に対応する位置よりも外側内部に拡散させる透明板とを備え、前記透明板に印刷された多数のドットまたはストライプなどの印刷領域は、前記発光装置に対応する位置にのみ存在することを特徴とするものである。
【０００５】
請求項２記載の発明は、光を発生する発光装置と、前記発光装置の上方に配置され、前記発光装置に対応する位置の上面または下面に前記発光装置からの光を反射する多数のドットまたはストライプの印刷が施された透明板と、前記発光装置と前記透明板との間に配設され、前記発光装置の表面積よりも大きく、かつ前記透明板の多数のドットまたはストライプの印刷によって反射した前記発光装置からの光を前記発光装置に対応する位置よりも外側内部に拡散させる拡散板とを備え、前記透明板に印刷された多数のドットまたはストライプなどの印刷領域は、前記発光装置に対応する位置にのみ存在することを特徴とするものである。
【０００６】
請求項７記載の発明は、先端に指針が取り付けられる指針軸を有するアナログ時計部と、前記アナログ時計部の指針軸側に設けられ、前記指針軸が挿入される貫通孔が形成された光を発生する発光装置と、前記発光装置の上方に配置され、この発光装置の表面積よりも大きく、前記アナログ時計部の指針軸が挿入される貫通孔が形成され、かつ上面における前記発光装置に対応する位置に多数のドットまたはストライプの印刷が施され、この印刷によって前記発光装置からの光を前記発光装置に対応する位置よりも外側内部に拡散させる透明板とを備え、前記透明板に印刷された多数のドットまたはストライプなどの印刷領域は、前記発光装置に対応する位置にのみ存在することを特徴とするものである。
【０００７】
請求項８記載の発明は、先端に指針が取り付けられる指針軸を有するアナログ時計部と、前記アナログ時計部の指針軸側に設けられ、前記指針軸が挿入される貫通孔が形成された光を発生する発光装置と、前記発光装置の上方に配置され、前記指針軸が挿入される貫通孔が形成され、前記発光装置に対応する位置の上面または下面に前記発光装置からの光を反射する多数のドットまたはストライプの印刷が施された透明板と、前記発光装置と前記透明板との間に配設され、前記発光装置の表面積よりも大きく、前記アナログ時計部の指針軸が挿入される貫通孔が形成され、かつ前記透明板の多数のドットまたはストライプの印刷によって反射した前記発光装置からの光を前記発光装置に対応する位置よりも外側内部に拡散させる拡散板とを備え、前記透明板に印刷された多数のドットまたはストライプなどの印刷領域は、前記発光装置に対応する位置にのみ存在することを特徴とするものである。
【０００８】
【作用】
請求項１記載の発明によれば、発光装置から発生した光はその上方の透明板の上面に施された多数のドットまたはストライプの印刷領域に照射され、この照射された光のうち、一部の照射光は多数のドットまたはストライプの印刷間を通って上方に出射され、他の照射光は多数のドットまたはストライプの印刷によって透明板の発光装置に対応する位置よりも外側内部に拡散されることになる。したがって、発光装置に対応する位置は勿論のこと、発光装置の外部周辺をも明るくすることができる。
【０００９】
請求項２記載の発明によれば、発光装置から発生した光はその上方の拡散板を通して透明板の上面または下面に施された多数のドットまたはストライプの印刷領域に照射され、この照射された光のうち、一部の照射光は多数のドットまたはストライプの印刷間を通って透明板に入射し、他の照射光は多数のドットまたはストライプの印刷によって拡散板に反射され、この反射光が拡散板の発光装置に対応する位置よりも外側内部に拡散されて透明板に入射することになる。したがって、発光装置に対応する位置は勿論のこと、発光装置の外部周辺をも明るくすることができる。
【００１０】
請求項７記載の発明によれば、アナログ時計部の指針軸側に指針軸が貫通孔に挿入されて設けられた発光装置から発生した光は、その上方の透明板の上面に施された多数のドットまたはストライプの印刷領域に照射され、この照射された光のうち、一部の照射光は多数のドットまたはストライプの印刷間を通って上方に出射され、他の照射光は多数のドットまたはストライプの印刷によって透明板の発光装置に対応する位置よりも外側内部に拡散されることになる。したがって、発光装置に対応する位置は勿論のこと、発光装置の外部周辺をも明るくすることができ、これにより指針の中心付近、例えば文字板の中心付近だけでなく、文字板全体を明るくすることができ、このため暗い所でも時刻を確実に読み取ることができる。
【００１１】
請求項８記載の発明によれば、アナログ時計部の指針軸側に指針軸が貫通孔に挿入されて設けられた発光装置から発生した光は、その上方の拡散板を通して透明板の上面または下面に施された多数のドットまたはストライプの印刷領域に照射され、この照射された光のうち、一部の照射光は多数のドットまたはストライプの印刷間を通って透明板に入射し、他の照射光は多数のドットまたはストライプの印刷によって拡散板に反射され、この反射光が拡散板の発光装置に対応する位置よりも外側内部に拡散されて透明板に入射することになる。したがって、発光装置に対応する位置は勿論のこと、発光装置の外部周辺をも明るくすることができ、これにより指針の中心付近、例えば文字板の中心付近だけでなく、文字板全体を明るくすることができ、このため暗い所でも時刻を確実に読み取ることができる。
【００１２】
【実施例】
以下、図１〜図４を参照して、この発明を適用した照明装置を備えた時計の一実施例について説明する。
図１および図２は置き時計を示している。これらの図において、１は時計ケースである。この時計ケース１の前面には、凹部２が形成されている。この凹部２に対応する時計ケース１内には、図２に示すように、アナログムーブメント（アナログ時計部）３が設けられている。アナログムーブメント３は、凹部２の中心に形成された貫通孔２ａに指針軸４が挿入されて凹部２内に突出し、この突出した先端に時針５ａ、分針５ｂ、秒針５ｃなどの指針５が取り付けられ、この指針５を運針させることにより時刻を指示表示するものである。
【００１３】
時計ケース１の凹部２内の中心付近には、発光装置６が配置されている。発光装置６は、図３に示すように、上から順に、透明な合成樹脂からなるフィルム７、ＩＴＯなどの透明な導電材料からなる表面電極８、ＺｎＳなどの蛍光体からなる発光層９、ＢａＴｉＯ３などの高誘電体からなる層間絶縁層１０、カーボンなどの導電材料からなる背面電極１１、および絶縁層１２を積層したＥＬ素子であり、表面電極８と背面電極１１との間に電圧を印加すると、発光層９が発光する構造になっている。この発光装置６は全体が円板状に形成されており、その中心部には指針軸４が挿通する貫通孔６ａが形成されている。なお、発光装置６の表面電極８および背面電極１１は、図２に示すように、凹部２の底部に形成された挿通孔２ｂを挿通する２本のリード線６ｂにより、それぞれ時計ケース１内の回路基板（図示せず）と電気的に接続されている。
【００１４】
また、時計ケース１の凹部２内には、図１および図２に示すように、遮蔽板１３、拡散板１４、および透明文字板１５が順に配置されている。遮蔽板１３は光が透過しない紙やフィルムなどのシート状のものであり、全体が凹部２の底部に対応する形状に形成されている。この遮蔽板１３の中心部には、発光装置６にほぼ対応する円形状の開口部１３ａが形成されている。すなわち、遮蔽板１３は、開口部１３ａの直径が発光装置６の直径よりも少し小さく形成され、開口部１３ａの口縁が発光装置６の周縁部上に重なり、これにより発光装置６の周縁部からの余分な光を遮蔽するようになっている。
【００１５】
透明文字板１５は、ガラスや合成樹脂などの透明な材料からなる平板状のもので、遮蔽板１３と同様、全体が発光装置６の表面積よりもかなり大きい凹部２の底部とほぼ同じ形状の大きさに形成され、その中心部に指針軸４が挿通する貫通孔１５ａが形成され、この貫通孔１５ａを挿通した指針軸４の先端に指針５が取り付けられ、外周部に時字（図示せず）が印刷された構造になっている。この透明文字板１５の中心付近、つまり発光装置６と対応する個所の下面（背面）には、発光装置６からの光を反射する多数のストライプの印刷１５ｂが施されている。この印刷１５ｂは光をよく反射させるために白色系が望ましい。
【００１６】
拡散板１４は、透明文字板１５と同様、ガラスや合成樹脂などの透明な材料からなる平板状のもので、全体が発光装置６の表面積よりもかなり大きい凹部２の底部とほぼ同じ形状の大きさに形成されている。この拡散板１４の中心部には、指針軸４が挿通する貫通孔１４ａが形成されており、この貫通孔１４ａの透明文字板１５側には、透明文字板１５のストライプの印刷１５ｂの外周縁に対応する「すり鉢」状の傾斜部１４ｂが形成されている。また、拡散板１４の表裏両面には、図４に示すように、「すり鉢」状の傾斜部１４ｂおよびこれと対応する部分を除く領域１４ｃ、１４ｄに、光を乱反射させるための微細な凹凸がシボ加工により形成されている。
【００１７】
なお、時計ケース１の凹部２内の前部（図２では上部）には、透明な合成樹脂からなるフロントケース（時計ガラス）１６が嵌着されている。また、時計ケース１の上面には、発光装置６を点灯させるための押釦スイッチ１７が設けられている。
【００１８】
このような置き時計では、押釦スイッチ１７を押圧して発光装置６を点灯させると、発光装置６から発生した光のうち、周縁部の余分な光は遮蔽板１３で遮蔽され、遮蔽板１３の開口部１３ａを通過した光が拡散板１４の中心付近、つまり拡散板１４の「すり鉢」状の傾斜部１４ｂと対応する部分に入射する。この入射した光のうち、一部の光は拡散板１４の傾斜部１４ｂで反射されて拡散板１４内を外側に向けて進み、他の大部分の光は拡散板１４の傾斜部１４ｂで屈折されて透過した上、透明文字板１５の下面の印刷１５ｂの領域（以下、印刷領域という）に照射される。この照射された光のうち、一部の照射光は透明文字板１５の多数のストライプの印刷１５ｂ間を通り透明文字板１５に入射して透明文字板１５の中心付近を照明するが、他の光は透明文字板１５の多数のストライプの印刷１５ｂで反射され、この反射光が拡散板１４の傾斜部１４ｂから再び拡散板１４に入射して拡散板１４内を外側に向けて進む。
【００１９】
このように拡散板１４内を外側に向けて進む光、つまり拡散板１４の傾斜部１４ｂで反射されて拡散板１４内を外側に向けて進む光、および透明文字板１５のストライプの印刷１５ｂで反射されて拡散板１４内に再度入射して外側に向けて進む光は、拡散板１４の表裏両面の傾斜部１４ｂを除く領域１４ｃ、１４ｄの凹凸により乱反射を繰り返して拡散板１４内を外側に向けて進みながら、拡散板１４の傾斜部１４ｂの外周側から拡散され、この拡散された光が透明文字板１５の印刷領域の外周側に入射して透明文字板１５の外周側を照明する。この結果、透明文字板１５の印刷１５ｂ間を通過した光により透明文字板１５の中心付近が照明され、印刷１５ｂで反射された光および拡散板１４の傾斜部で反射された光が拡散板１４内を外側に向けて進んで印刷領域の外周側から拡散されることにより透明文字板１５の外周側が照明される。このため、透明文字板１５全体がほぼ均一に照明されることになり、暗い所でも時刻を確実に読み取ることができる。
【００２０】
なお、上記実施例では、透明文字板１５の下面に多数のストライプの印刷１５ｂを形成したが、これに限らず、上面に印刷１５ｂを形成してもよく、また印刷１５ｂはストライプに限らず、多数のドット（点）でもよく、さらに透明文字板１５は上記実施例に限らず、印刷１５ｂの領域を除く表裏両面に微細な凹凸をシボ加工により形成してもよい。
また、上記実施例では、透明文字板１５と発光装置６との間に拡散板１４を配置したが、これに限らず、例えば透明文字板１５の上面に多数のドットまたはストライプの印刷１５ｂを形成し、かつこの印刷１５ｂの領域を除く透明文字板１５の表裏両面に微細な凹凸をシボ加工により形成することにより、透明文字板１５に拡散板１４の機能をもたせてもよい。このようにすれば、拡散板１４が不要となり、部品点数を削減できる。
【００２１】
【発明の効果】
以上説明したように、請求項１記載の発明によれば、光を発生する発光装置の上方に発光装置の表面積よりも大きい透明板を配置し、この透明板の上面における発光装置に対応する位置のみに多数のドットまたはストライプの印刷を施し、この印刷によって発光装置からの光を発光装置に対応する位置よりも外側内部に拡散させるので、発光装置の外部周辺をも明るくすることができる。
【００２２】
請求項２記載の発明によれば、光を発生する発光装置の上方に透明板を配置するとともに、この透明板の発光装置に対応する位置のみの上面または下面に発光装置からの光を反射する多数のドットまたはストライプの印刷を施し、かつ発光装置と透明板との間に発光装置の表面積よりも大きい拡散板を配設し、この拡散板により透明板の多数のドットまたはストライプの印刷によって反射した発光装置からの光を発光装置に対応する位置よりも外側内部に拡散させるので、発光装置の外部周辺をも明るくすることができる。
【００２３】
請求項７記載の発明によれば、先端に指針が取り付けられる指針軸を有するアナログ時計部の指針軸側に、指針軸が貫通孔に挿入されて光を発生する発光装置を設け、この発光装置の上方に、発光装置の表面積よりも大きくかつアナロブ時計部の指針軸が貫通孔に挿入される透明板を配置し、この透明板の上面における発光装置に対応する位置のみに多数のドットまたはストライプの印刷を施し、この印刷によって発光装置からの光を発光装置に対応する位置よりも外側内部に拡散させるので、発光装置の外部周辺をも明るくすることができ、これにより指針の中心付近、例えば文字板の中心付近だけでなく、文字板全体を明るくすることができ、このため暗い所でも時刻を確実に読み取ることができる。
【００２４】
請求項８記載の発明によれば、先端に指針が取り付けられる指針軸を有するアナログ時計部の指針軸側に、指針軸が貫通孔に挿入されて光を発生する発光装置を設け、この発光装置の上方に指針軸が貫通孔に挿入される透明板を配置し、この透明板の発光装置に対応する位置のみの上面または下面に発光装置からの光を反射する多数のドットまたはストライプの印刷を施し、かつ発光装置と透明板との間に、発光装置の表面積よりも大きくかつアナログ時計部の指針軸が貫通孔に挿入される拡散板を配置し、この拡散板により透明板の多数のドットまたはストライプの印刷によって反射した発光装置からの光を発光装置に対応する位置よりも外側内部に拡散させるので、発光装置の外部周辺をも明るくすることができ、これにより指針の中心付近、例えば文字板の中心付近だけでなく、文字板全体を明るくすることができ、このため暗い所でも時刻を確実に読み取ることができる。
【図面の簡単な説明】
【図１】この発明を置き時計に適用した一実施例の要部分解斜視図。
【図２】図１を組み立てた状態の要部拡大断面図。
【図３】図１の発光装置の要部拡大断面図。
【図４】図１の拡散板のＡ−Ａ拡大断面図。
【符号の説明】
３  アナログムーブメント
４  指針軸
５  指針
６  発光装置
６ａ  発光装置の貫通孔
１４  拡散板
１４ａ  拡散板の貫通孔
１４ｂ  傾斜部
１５  透明文字板
１５ａ  透明文字板の貫通孔
１５ｂ  印刷
【図１】
0003598353.tif 000002
【図２】
0003598353.tif 000003
【図３】
0003598353.tif 000004
【図４】
0003598353.tif 000005